(57)【要約】  エレベータかごの大幅な重量増加およびコスト増加を招くことなく、かつ施工性を低下させることなく、剛性を向上させることができるエレベータのかご室壁を得る。隣接するかご室壁同士が互いに連結されて、エレベータのかご室の内壁面を構成するエレベータのかご室壁であって、隣接するかご室壁と連結される連結部を両側部に有し、連結部にかご室壁同士を連結するための連結部材を挿入する連結用穴が形成された表板と、連結部材を挿入する連結用穴が形成され、連結部に固定されて、かご室側からの荷重に対して表板を支える補強部材と、を備えたものである。
2017203619.tif 000002
【特許請求の範囲】
【請求項１】
隣接するかご室壁同士が互いに連結されて、エレベータのかご室の内壁面を構成するエレベータのかご室壁であって、
隣接するかご室壁と連結される連結部を両側部に有し、前記連結部にかご室壁同士を連結するための連結部材を挿入する連結用穴が形成された表板と、
前記連結部材を挿入する連結用穴が形成され、前記連結部に固定されて、かご室側からの荷重に対して前記表板を支える補強部材と、
を備えたエレベータのかご室壁。
【請求項２】
前記補強部材は、固定部材により前記連結部に固定され、
前記連結部および前記補強部材には、前記連結部から突出した前記固定部材を回避する逃がし穴が形成されている
請求項１に記載のエレベータのかご室壁。
【請求項３】
前記補強部材は、前記連結部および前記補強部材の上下に形成された取り付け穴のそれぞれを介して、前記固定部材により前記連結部に固定され、
一方の連結部において、前記取り付け穴は、前記逃がし穴の両外側に配置され、
他方の連結部において、前記取り付け穴は、前記逃がし穴の両内側に配置されている
請求項２に記載のエレベータのかご室壁。
【請求項４】
前記連結部の取り付け穴および前記補強部材の取り付け穴の少なくとも一方は、前記補強部材の前記連結部への固定時に、前記補強部材のかご室側への位置調整を可能にする遊びを有している
請求項３に記載のエレベータのかご室壁。
【発明の詳細な説明】
【技術分野】
【０００１】
この発明は、隣接するかご室壁同士が互いに連結されて、エレベータのかご室の内壁面を構成するエレベータのかご室壁に関する。
【背景技術】
【０００２】
従来から、エレベータのかご室壁において、剛性を向上させるために、かご室壁の板厚を増加させたり、かご室壁の裏面に補強部材を取り付けたりすることが知られている。また、かご室壁を、表板と裏板とを接着した二重構造とすることも提案されている（例えば、特許文献１参照）。
【先行技術文献】
【特許文献】
【０００３】
【特許文献１】特開２００１−８０８５４号公報
【発明の概要】
【発明が解決しようとする課題】
【０００４】
しかしながら、かご室壁の板厚を増加させる場合には、エレベータかごの大幅な重量増加およびコスト増加を招くという問題がある。また、かご室壁の裏面に補強部材を取り付ける場合には、取り付け数が多くなるほど、かご室壁の板厚を増加させる場合と同様に、エレベータかごの大幅な重量増加およびコスト増加を招くという問題がある。【０００５】
また、かご室壁の裏面に補強部材を取り付ける場合において、手摺や鏡等のかご内機器をかご室壁に取り付けるときには、かご内機器の取り付け穴やかご室壁の裏面に設けられる座板等の取り付け金を避けて補強部材を配置したり、補強部材自体に取り付け穴や取り付け金の逃がし穴等を設けたりする必要が生じるという問題もある。【０００６】
さらに、かご室壁の裏面に補強部材を取り付ける場合において、補強部材をかご室壁同士の連結部の近傍に配置したときには、補強部材が邪魔になって、かご室壁同士を連結するためのボルトを連結用穴に挿入することができなくなるという問題もある。すなわち、補強部材を取り付けることにより、施工性が低下するという問題がある。【０００７】
また、特許文献１に記載されているように、かご室壁を表板と裏板とを接着した二重構造とした場合についても、かご室壁の板厚を増加させる場合と同様に、エレベータかごの大幅な重量増加およびコスト増加を招くという問題がある。【０００８】
この発明は、上記のような課題を解決するためになされたものであり、エレベータかごの大幅な重量増加およびコスト増加を招くことなく、かつ施工性を低下させることなく、剛性を向上させることができるエレベータのかご室壁を得ることを目的とする。
【課題を解決するための手段】
【０００９】
この発明に係るエレベータのかご室壁は、隣接するかご室壁同士が互いに連結されて、エレベータのかご室の内壁面を構成するエレベータのかご室壁であって、隣接するかご室壁と連結される連結部を両側部に有し、連結部にかご室壁同士を連結するための連結部材を挿入する連結用穴が形成された表板と、連結部材を挿入する連結用穴が形成され、連結部に固定されて、かご室側からの荷重に対して表板を支える補強部材と、を備えたものである。
【発明の効果】
【００１０】
この発明に係るエレベータのかご室壁によれば、表板は、隣接するかご室壁と連結される連結部を両側部に有し、連結部にかご室壁同士を連結するための連結部材を挿入する連結用穴が形成され、補強部材は、連結部材を挿入する連結用穴が形成され、連結部に固定されて、かご室側からの荷重に対して表板を支える。
そのため、エレベータかごの大幅な重量増加およびコスト増加を招くことなく、かつ施工性を低下させることなく、かご室壁の剛性を向上させることができる。
【図面の簡単な説明】
【００１１】
【図１】この発明の実施の形態１に係るエレベータのかご室壁が適用されたエレベータのかごを示す斜視図である。
【図２】図１に示したかごを、かご出入口から見た正面図である。
【図３】図１に示したかごを、Ｉ−Ｉ線を通る水平面で切断した断面図である。
【図４】図３に示したかご室壁を抜粋して示す斜視図である。
【図５】図４に示したかご室壁を、ＩＩ−ＩＩ線を通る水平面で切断した断面図である。
【図６】この発明の実施の形態１に係るエレベータのかご室壁を示す別の断面図である。
【発明を実施するための形態】
【００１２】
以下、この発明に係るエレベータのかご室壁の好適な実施の形態につき図面を用いて説明するが、各図において同一、または相当する部分については、同一符号を付して説明する。
【００１３】
実施の形態１．
図１は、この発明の実施の形態１に係るエレベータのかご室壁が適用されたエレベータのかごを示す斜視図である。図１において、かご１は、建物の昇降路２内を昇降可能に設けられている。また、かご１の前面には、かご出入口を開閉するかごドア３が設けられている。
【００１４】
図２は、図１に示したかごを、かご出入口から見た正面図である。図２において、かご１の下部には、かご床４が設けられ、かご１の上部には、天井５が設けられている。また、かご１の左右両側面および背面には、かご室の内壁面を構成するかご室壁１０が設けられている。また、かご室壁１０とかご床４との間には、巾木６が設けられている。
【００１５】
以下、図３〜５を参照しながら、この発明の実施の形態１に係るエレベータのかご室壁の構造について説明する。図３は、図１に示したかごを、Ｉ−Ｉ線を通る水平面で切断した断面図である。図４は、図３に示したかご室壁を抜粋して示す斜視図である。また、図５は、図４に示したかご室壁を、ＩＩ−ＩＩ線を通る水平面で切断した断面図である。
【００１６】
図３〜５において、かご室の内壁面は、隣接するかご室壁１０同士が互いに連結されて構成されている。かご室壁１０は、表板１１と、断面コの字形状の補強部材１２と、かご室壁１０を補強する縦補強材１３とを有している。また、補強部材１２は、リベット等の固定部材１４により表板１１に固定され、縦補強材１３は、接着等により表板１１に固定されている。
【００１７】
表板１１は、隣接するかご室壁１０と連結される連結部を両側部に有している。また、連結部には、かご室壁１０同士を連結するための連結部材である図示しないボルトを挿入する連結用穴１１ａが形成されている。
【００１８】
補強部材１２は、かご室壁１０同士を連結するためのボルトを挿入する連結用穴１２ａが形成され、連結部に固定されて、かご室側からの荷重に対して表板１１を支える。なお、隣接するかご室壁１０同士は、連結部の連結用穴１１ａおよび補強部材１２の連結用穴１２ａを介して、ボルトとナットとを締結することで連結される。
【００１９】
また、補強部材１２は、連結部の上部に形成された取り付け穴１１ｂおよび補強部材１２の上部に形成された取り付け穴１２ｂ、並びに連結部の下部に形成された取り付け穴１１ｃおよび補強部材１２の下部に形成された取り付け穴１２ｃのそれぞれを介して、固定部材１４により連結部に固定されている。
【００２０】
また、連結部の上部には、かご室壁１０同士を連結させる際に、連結部から突出した固定部材１４を回避する逃がし穴１１ｄが形成され、補強部材１２の上部にも、連結部から突出した固定部材１４を回避する逃がし穴１２ｄが形成されている。
【００２１】
また、連結部の下部には、かご室壁１０同士を連結させる際に、連結部から突出した固定部材１４を回避する逃がし穴１１ｅが形成され、補強部材１２の下部にも、連結部から突出した固定部材１４を回避する逃がし穴１２ｅが形成されている。
【００２２】
ここで、表板１１の一方の連結部において、連結部の取り付け穴１１ｂ、１１ｃおよび補強部材１２の取り付け穴１２ｂ、１２ｃは、連結部の逃がし穴１１ｄ、１１ｅおよび補強部材１２の逃がし穴１２ｄ、１２ｅの両外側に配置されている。
【００２３】
また、表板１１の他方の連結部において、連結部の取り付け穴１１ｂ、１１ｃおよび補強部材１２の取り付け穴１２ｂ、１２ｃは、連結部の逃がし穴１１ｄ、１１ｅおよび補強部材１２の逃がし穴１２ｄ、１２ｅの両内側に配置されている。
【００２４】
また、連結部の取り付け穴１１ｂ、１１ｃおよび補強部材１２の取り付け穴１２ｂ、１２ｃの少なくとも一方は、補強部材１２の連結部への固定時に、補強部材１２のかご室側への位置調整を可能にする遊びを有している。
【００２５】
以上のように、実施の形態１によれば、表板は、隣接するかご室壁と連結される連結部を両側部に有し、連結部にかご室壁同士を連結するための連結部材を挿入する連結用穴が形成され、補強部材は、連結部材を挿入する連結用穴が形成され、連結部に固定されて、かご室側からの荷重に対して表板を支える。
そのため、エレベータかごの大幅な重量増加およびコスト増加を招くことなく、かつ施工性を低下させることなく、かご室壁の剛性を向上させることができる。
すなわち、かご室壁の連結部に補強部材を配置することにより、かご室壁の板厚を増加させることなく、かご室壁の剛性を向上させることができる。
【００２６】
また、補強部材は、固定部材により連結部に固定され、連結部および補強部材には、連結部から突出した固定部材を回避する逃がし穴が形成されている。
そのため、連結部から突出した固定部材に邪魔されることなく、かご室壁同士を連結することができる。
【００２７】
また、補強部材は、連結部および補強部材の上下に形成された取り付け穴のそれぞれを介して、固定部材により連結部に固定され、一方の連結部において、取り付け穴は、逃がし穴の両外側に配置され、他方の連結部において、取り付け穴は、逃がし穴の両内側に配置されている。
このように、一方の連結部に固定される補強部材と他方の連結部に固定される補強部材との固定部材の取り付けピッチを変更することにより、連結部における補強部材の取り付け間違いを防止することができる。
【００２８】
また、連結部の取り付け穴および補強部材の取り付け穴の少なくとも一方は、補強部材の連結部への固定時に、補強部材のかご室側への位置調整を可能にする遊びを有している。
ここで、補強部材を連結部に固定した状態で、補強部材のかご室側の面が連結部に当接するように補強部材および表板を設計すると、製作誤差により補強部材と連結部との間に隙間が生じたり、補強部材と連結部との間がきつすぎたりすることがある。
このとき、補強部材と連結部との間に隙間が生じる場合には、かご室側からの荷重に対して表板が変形する恐れがあり、補強部材と連結部との間がきつすぎる場合には、補強部材の連結部への固定が困難になる恐れがある。
そこで、連結部の取り付け穴および補強部材の取り付け穴の少なくとも一方に、補強部材の連結部への固定時に、補強部材のかご室側への位置調整を可能にする遊びを設けることにより、補強部材のかご室側の面を連結部に当接した状態で固定することができる。
【００２９】
なお、上記実施の形態１では、補強部材１２が断面コの字形状であると説明した。しかしながら、これに限定されず、補強部材は、図６に示されるように、断面Ｌ字形状であってもよい。
【００３０】
図６は、この発明の実施の形態１に係るエレベータのかご室壁を示す別の断面図である。図６において、かご室壁１０Ａは、表板１１と、断面Ｌ字形状の補強部材１２Ａと、縦補強材１３とを有し、補強部材１２Ａは、図３〜５に示した補強部材１２と同様に、かご室側からの荷重に対して表板１１を支える。
この場合であっても、かご室壁の連結部に補強部材を配置することにより、かご室壁の板厚を増加させることなく、かご室壁の剛性を向上させることができる。
【００３１】
また、上記実施の形態１では、補強部材１２が、リベットにより表板１１に固定されていると説明した。しかしながら、これに限定されず、補強部材１２は、リベットの代わりに、接着、両面テープ、溶接、ボルト等によって連結部に固定されてもよい。
【図１】
2017203619.tif 000003
【図２】
2017203619.tif 000004
【図３】
2017203619.tif 000005
【図４】
2017203619.tif 000006
【図５】
2017203619.tif 000007
【図６】
2017203619.tif 000008
【国際調査報告】
2017203619.tif 000009
2017203619.tif 000010
2017203619.tif 000011
2017203619.tif 000012